【事件の表示】
　平成　６年特許願第２１１６１３号「演奏装置」拒絶査定不服審判事件〔平成　８年　３月２２日出願公開、特開平　８−　７７６９４〕について、次のとおり審決する。
【結　論】
　本件審判の請求は、成り立たない。
【理　由】
１．手続きの経緯・本願発明
　本願は、平成６年９月５日の出願であって、その請求項１に係る発明は、平成１４年３月１８日付け、平成１４年７月８日付け及び平成１７年３月７日付けの手続補正書によって補正された明細書の特許請求の範囲の請求項１に記載された次のとおりのものである（以下、「本願発明」という。）。
「複数の曲の演奏情報を記憶し、当該演奏情報を読み出して演奏する演奏装置において、
　軸線回りに回転自在なつまみと、
　前記つまみの回転を所定の伝達比で伝達する伝達機構と、
　前記伝達機構によって伝達された回転を検出し、回転量に対応した検出信号を出力する回転検出手段と、
　前記回転検出信号に従って、前記複数の曲の中から、所定の回転量を単位として順次１つの曲を選択するための選曲信号を出力する選曲手段と、
　前記つまみの軸線の略延長線上に設けられ、前記つまみの軸線方向に移動可能とされた中央部分によって操作される手段であり、操作に従って、前記選曲信号により示される曲の演奏を指示する処理信号を出力するスイッチ手段と
　を具備することを特徴とする演奏装置。」
　
２．引用例
（１）これに対して、当審における拒絶の理由で引用した特開平４−３５５４９８号公報（以下、「引用例１」という。）には、カラオケ装置の選曲操作を行う選曲装置について、図面とともに次の事項が記載されている（下線は当審で付した。）。
「【０００１】
　【産業上の利用分野】本発明は、カラオケ装置等の演奏装置に、演奏曲の呼出し、予約等のための選曲信号を送る選曲装置に関し、更に詳しくは、表示部を見ながら曲名の検索および選曲操作を行うことができる選曲装置に関する。」
「【００１６】メモリカード２０をカード挿入部１９に挿入して、ＲＯＭ２１に記憶されているプログラムに従い情報書込み処理を実行すると、メモリカード２０から曲情報が読み出されて
曲情報記憶部２６
メロディー情報記憶部３７
「【００１８】操作部１８は、ＬＣＤ表示部１６上のカーソル移動、または画面の切換を操作するものである。図６を参照すると、この実施例では操作部１８は、可撓性を有するシャフト４６上に設けられた操作シリンダ４７を備え、この
操作シリンダ４７
シャフト４６の中央付近には入力スイッチ５０
「【００２６】図１９（ａ）　に示すように、ジャンルの項目が選択された場合（ステップ１１８）、その後「取消し」の項目が選択されなければタイマー１をリセットしてジャンル選択処理に移る（ステップ１１９〜１２１）。なお、「取消し」の項目が選択されるとステップ１０３に戻る。また、図示は省略するが、第１段階の表示において各検索項目を選択する前に「取消し」の項目を選択すると初期画面（図８）に変わり、選曲処理以外の例えば曲情報記憶部２６への情報の書込みやゲーム等の他のプログラムを実行することが可能となる。各項目の選択は、操作部１８の操作シリンダ４７を操作することにより行われる。すなわち
操作シリンダ４７を操作してカーソルを項目の位置へと移動させた後、操作シリンダ４７を押して入力スイッチ５０をＯＮ状態にすることにより実行される
　【００２７】次に図１０および図１６を参照すると、
曲名選択処理
曲情報記憶部２６に記憶されている曲情報
　【００２８】希望する曲名が画面上にないときは操作シリンダ４７を操作することにより、図１６（ｄ）　に示すように、画面を上下にスクロールさせることができる（ステップ１２６〜１２７）。こうして
希望する曲名が画面上に現れたら、その位置にカーソルを合わせて操作シリンダ４７を押すことにより、希望する曲名を選択する
「【００３２】ステップ１３１の
選曲出力処理
　【００３３】一方、２分が経過する前に
「音出し」の項目が操作シリンダ４７の操作によって選択されると（ステップ１６７）、音出し処理が実行される
スピーカ３６から４小節分のメロディーが電子音により送出される
　
　以上の摘記した事項によれば、引用例１には、特に曲名選択処理と音出し処理が実行される手段を備えた選曲装置について、次の発明（以下「引用例１の発明」という。）が記載されている。
「メモリカードから曲情報が読み出されて曲情報記憶部に書き込まれると共に、メモリカードからメロディー情報が読み出されてメロディー情報記憶部に書き込まれる選曲装置において、
　前記曲情報記憶部に記憶されている曲情報の中から希望する曲名が画面上に現れたら、操作シリンダを操作してカーソルを希望の曲名に合わせ、前記操作シリンダを押すことにより、シャフトがたわみシャフトの中央付近の入力スイッチをＯＮ状態にして、希望する曲を選択する曲名選択処理を実行する手段と、
　前記曲名選択処理後の選曲出力処理と、
　前記選曲出力処理においてスピカーからメロディーが送出される音出し処理とが実行される手段を備えた選曲装置。」
　
（２）同じく、当審における拒絶の理由で引用した特開平６−１７８３７１号公報（以下、「引用例２」という。）には、回転するジョグダイヤル内側に操作釦を備えたジョグエンコーダについて、以下の事項が図面とともに記載されている。
「【０００２】
　【従来の技術】従来、この種のジョグエンコーダとしてはジョグダイヤル内側に個々に独立した操作釦と、この操作釦の数に対応した個々のスイッチを配したジョグエンコーダが知られている。
　【０００３】すなわち、図５，図６に示すように、ベース基板１と、ベース基板１をガイドにして回転する摺動体２にジョグダイヤル（以下ダイヤルと称す）３が圧入されている。ダイヤル３を回転すると、摺動体２に取り付けられた刷子４がベース基板１上にあるコード板（図示されていない）上を動き、電気信号として伝達される。ダイヤル３は復元ばね５によって常に中立位置になるよう付勢されている。また、摺動体２はカバー６によって保持（抜け防止）されている。
　【０００４】さらに、ダイヤル３の内側には複数の操作釦７が、ばね性を持ったガイド板８によって支持され、ガイド板８はベース基板１に固定されている。操作釦７からボス７ａが直立しており、操作釦７を押すと、ボス７ａの先端がスイッチ９を押すことにより電気信号が送られる。」
　
（３）原審における拒絶の理由で引用された実願平２−２６７７２号（実開平３−１２１５５７号）のマイクロフィルム（以下、「引用例３」という。）には、選曲装置について、以下の事項が図面とともに記載されている。
ア．
「つまみを回転するにつれて表示部に表示されるサーチ目標トラックが順次更新されるようにすることにより、所望のサーチ目標トラックを選択することができる。」（第４頁第８行〜同第１１行）
イ．
「サーチ目標トラック番号が決定したら、このトラック番号を表示器１６に表示し（ＳＰ８）、サーチ制御手段２８はサーチを行う（ＳＰ９）。そして、ジョグ２０が操作されている間、以上のステップＳＰ１〜ＳＰ９をクリックが検出されるごと（すなわちジュグ２０の出力パルスＰ１，Ｐ２の周期ごと）に繰り返すことにより、表示器１６に表示されるトラック番号を所望のサーチ目標トラックに順次近づいていくことができる。」（第１１頁第１９行〜第１２頁第７行）
　
３．対比
　本願発明と引用例１の発明を対比する。
　引用例１の発明の、「メモリカードから曲情報が読み出されて曲情報記憶部に書き込まれると共に、メモリカードからメロディー情報が読み出されてメロディー情報記憶部に書き込まれる選曲装置」における、「曲情報記憶部」及び「メロディー情報記憶部」は、複数の曲の演奏情報をメモリーカードから読み出して記憶するものであり、さらに、該選曲装置は、スピーカよりメロディーが送出される音出し処理が実行されるものであるから、本願発明と引用例１の発明は、「複数の曲の演奏情報を記憶し、当該演奏情報を読み出して演奏する演奏装置」で共通する。
　引用例１の発明の、「曲名選択処理を実行する手段」は、「前記曲情報記憶部に記憶されている曲情報の中から希望する曲名が画面上に現れたら、操作シリンダを操作してカーソルを希望の曲名に合わせ、前記操作シリンダを押すことにより、シャフトがたわみシャフトの中央付近の入力スイッチをＯＮ状態にして、希望する曲を選択する」もので、この手段の中で、「操作シリンダを操作してカーソルを希望の曲に合わせ」ることは、本願発明の「前記複数の曲の中から、１つの曲を選択するための手段」における動作で共通する。
　そして、引用例１の発明において、カーソルを希望の曲名に合わせ、「前記操作シリンダを押すことにより、シャフトがたわみシャフトの中央付近の入力スイッチをＯＮ状態」とすることは、カーソルが合わされた曲名のＯＮ信号を出力し、音出し処理でスピーカからメロディーが送出されることであるから、本願発明の「中央部分によって操作される手段であり、操作に従って、前記示される曲の演奏を指示する処理信号を出力するスイッチ手段」における動作で共通する。
　
　したがって、本願発明と引用例１の発明の一致点と相違点は、以下のとおりである。
〈一致点〉
「複数の曲の演奏情報を記憶し、当該演奏情報を読み出して演奏する演奏装置において、
　前記複数の曲の中から、１つの曲を選択するための手段と、
　中央部分によって操作される手段であり、操作に従って、前記示される曲の演奏を指示する処理信号を出力するスイッチ手段と
　を具備することを特徴とする演奏装置。」
　
〈相違点〉
　選曲手段が、本願発明では、「軸線回りに回転自在なつまみと、前記つまみの回転を所定の伝達比で伝達する伝達機構と、前記伝達機構によって伝達された回転を検出し、回転量に対応した検出信号を出力する回転検出手段と、前記回転検出信号に従って、所定の回転量を単位とし順次選曲信号を出力する選曲手段」であり、スイッチ手段が、本願発明では、「つまみの軸線の略延長線上に設けられ、前記つまみの軸線方向に移動可能とされた中央部分によって操作される手段であり、前記選曲信号による処理信号を出力」するのに対して、引用例１の発明における、選曲手段とスイッチ手段は、操作シリンダと、操作シリンダのシャフトの中央付近に設けられた入力スイッチである点。
  
４．当審の判断
　上記相違点について検討する。
　引用例３には、順次１つの曲を選曲するため、軸線回りに回転自在なつまみと、このつまみの回転を検出し、回転量に対応した検出信号を出力する検出手段と、回転検出手段に従って、所定の回転量を１つの曲の単位として選曲信号（出力パルス）を出力する手段が記載されており、引用例１の発明においても、選曲する場合に、１曲ずつ順次選曲し、選曲信号を出力するようにすることは、当然のことである。そして、つまみの回転量が、曲数に対応できるように、つまみの伝達比を調整する伝達機構を設けて、１曲の選出が容易であるように構成することは、当業者が適宜になし得ることであって、引用例１の発明において、選曲手段を、軸線回りに回転自在なつまみと伝達機構からなる回転選出手段により、１曲ずつ選曲するように構成することは、当業者が容易に推考できたことと認められる。　
　そして、引用例１には、操作シリンダのシャフトの中央付近には入力スイッチが設けられており、引用例２には、スイッチがダイヤルの中央部分に設けられた構成が記載されている。さらに、実願昭６３−１５９１５５号（実開平２−７９５３２号）のマイクロフィルムにおける、第５図の回動式押ボタンスイッチ、及び特開平５−２３３１４１号公報のポンティングデバイスに記載されているように、つまみ又はダイアルの軸線の略延長上の中央部分にスイッチを設けた構成は周知である。
　したがって、引用例１の発明の選曲装置において、選曲手段とスイッチ手段の別個の手段を１つにまとめた場合に、操作部が小さい形状で集約され得て、操作が効率よく行われる形状である、つまみとつまみの軸線方向に移動可能な中央部分で操作されるスイッチとからなる構成とすることは、格別に工夫を要することなく当業者が容易に想到できたことと認められる。
　
５．むすび
　したがって、本願発明は、引用例１乃至３に記載された発明に基いて当業者が容易に発明をすることができたものと認められるから、特許法第２９条第２項の規定により特許を受けることができない。
　よって、結論のとおり審決する。